(57)【要約】本発明は、気流ダクト（１０）と、その主要部分が少なくともダクト空洞に配置されたプロファイル本体（１８）と、プロファイル本体がダクトに対して移動されることを可能にしつつプロファイル本体（１８）をダクトにおいて支持するようにダクトおよびプロファイル部材と協働するリング（２６）とを備える回り継手換気フラップに関する。空洞の内面の少なくとも一部は部分球状を形成しており、リング（２６）は空洞の部分球状と実際上同じ半径の球面部分を形成する外面を有しており、そしてリング（２６）は空洞においてプロファイル本体（１８）の外面に配置されている。プロファイル本体（１８）はリング（２６）に対して摺動することができる。換気フラップは自動車ダッシュボードに適する。
2008542674.tif 000002
【特許請求の範囲】
【請求項１】
気流の方向づけと流量の調整を行う換気手段であって、
循環方向を決める入口（１２、１１２、２１２）と出口（１４、１１４、２１４）との間に、循環方向で漸増してから漸減する断面を備える少なくとも１つの空洞を有する、気流のためのダクト（１０、１１０、２１０）と、
少なくともほとんどの部分がダクト空洞に配置され、循環方向で漸増してから漸減する断面を有する外面を有するプロファイル本体（１８、１１８、２２０）と、
を備え、それによりプロファイル本体（１８、１１８、２２０）のまわりでダクト空洞を循環する気流は漸次的に広がってから漸次的に狭まる周辺気流を構成し、
さらに、プロファイル本体がダクトに対して動かされることを可能にするとともに、プロファイル本体（１８、１１８、２２０）をダクトに支持するようにダクトとプロファイル部材と協働するリング（２６、１２６、２３０）とを備えた換気手段であって、
空洞の内面の少なくとも一部が部分球状を形成しており、リング（２６、１２６、２３０）は空洞の部分球状とほぼ同じ半径の球面部分を形成する外面を有しており、リング（２６、１２６、２３０）は空洞においてプロファイル本体（１８、１１８、２２０）の外面に配置されていることを特徴とする、換気手段。
【請求項２】
循環方向と垂直に交差する線に沿って、プロファイル本体（１８、１１８、２２０）の寸法は同じ線に沿った空洞の寸法の４分の１に少なくとも等しいことを特徴とする請求項１に記載の換気手段。
【請求項３】
空洞とプロファイル本体（１８、１１８、２２０、３１６）は回転によって実質的に生成されることを特徴とする請求項１または請求項２のいずれか一方に記載の換気手段。
【請求項４】
リング（２６）はダクト（２０）の部分球状の半径とほぼ等しい半径を有する部分球状の形態の外面を有しており、リング（２６）はリング（２６）の内側に向けて突出し、プロファイル本体（１８）を支持するように意図された少なくとも１個のアーム（２８）を有することを特徴とする請求項３に記載の換気手段。
【請求項５】
プロファイル本体（１８）は、アームがダクト（１０）の長手方向で少なくとも１つの方向に摺動するようにしてリングのアーム（２８）と協働するように意図された少なくとも１個の溝（３０）を有しており、それによりダクトに対するプロファイル本体の移動が、回転での少なくとも１自由度に加えて、並進での自由度を有することを特徴とする請求項４に記載の換気手段。
【請求項６】
リング（２６）は少なくとも３個のアーム（２８）を備えていることを特徴とする請求項４または請求項５のいずれか一方に記載の換気手段。
【請求項７】
プロファイル本体（１８）は出口側に操作装置（２４）を保持することを特徴とする請求項４〜６のいずれか１項に記載の換気手段。
【請求項８】
ダクトとプロファイル本体はそれぞれ、プロファイル本体（１８）がダクト（１０）と実質的に接触している箇所で実質的に密閉された様態で協働することができる一方にリップ（４４）、他方に溝（４７）を有することを特徴とする請求項４〜７のいずれか１項に記載の換気手段。
【請求項９】
プロファイル本体をダクトにおいて適位置に保持するための装置を含むことを特徴とする請求項４〜８のいずれか１項に記載の換気手段。
【請求項１０】
保持装置はリング（２６）に向けて弾力的に戻される少なくとも１個の突起部（３６）と協働する粗面（４２）の区域を含んでおり、粗面（４２）の区域はリングにまたはダクトの内面に形成されており、突起部（３６）はダクトの内面またはリングにそれぞれ形成されていることを特徴とする請求項９に記載の換気手段。
【請求項１１】
保持装置は、リング（５８）の外側で突出し、リングと一体に形成された弾性舌状部（５２）を含んでおり、弾性舌状部（５２）は摺動によってダクト（５２）の内面と協働することを特徴とする請求項９に記載の換気手段。
【請求項１２】
保持装置は、ダクト（６０）の内面またはリングの外面に形成され、リング（５６）の外面またはダクトの内面とそれぞれ協働する弾力的に変形可能な端部を有する、粗面（６２）の区域を含むことを特徴とする請求項９に記載の換気手段。
【請求項１３】
リング（２６、３８）は換気手段の対称中心軸を含んでいる平面に各々含まれたフィン（４６）を保持しており、各フィン（４６）の内端部はプロファイル本体（１８）のスロット（４８）で摺動できることを特徴とする請求項４〜１２のいずれか１項に記載の換気手段。
【請求項１４】
プロファイル本体（１１８）は周辺気流に付加される中心気流となる中心通路（１２０）を有することを特徴とする請求項３〜１２のいずれか１項に記載の換気手段。
【請求項１５】
操作装置（１２４）は中心通路（１２０）においてプロファイル本体（１１８）の出口に配置されたグリル（１２２）によって保持されたグリップ部材を含むことを特徴とする請求項１４に記載の換気手段。
【請求項１６】
ダクト空洞（２１０）の部分球状は少なくとも９０°の中心角を有しており、
リングは、各々がカム装置（２２６）を介してプロファイル本体（２２０）と協働する少なくとも１個のアーム（２３２）を備えた球部分体より形成される２個の摺動部材（２３０）を備えており、各球部分体はその両端を接続する直径の少なくとも近傍に、少なくともほぼ９０°の中心角を有しており、２個の摺動部材（２３０）の球部分体は空洞の部分球状の球のそれとほぼ等しい半径を有しており、
プロファイル本体（２２０）は、それと一体であり、部分球状と接触している球部分体の関連した回転によるプロファイル本体（２２０）の方向づけおよび、カム装置（２２６）を介した摺動部材（２３０）の回転による摺動部材（２３０）によるダクト（２１０）の出口開口の閉鎖の両方を使用者が調整することを可能とする操作部材（２２４）を含んでおり、
それによりダクトに対するプロファイル本体の移動が、回転での少なくとも１自由度に加えて、並進での自由度を有することになることを特徴とする請求項３に記載の換気手段。
【請求項１７】
摺動部材（２３０）は入口開口（２１２）の付近の縁端部でスカラップされていることを特徴とする請求項１６に記載の換気手段。
【請求項１８】
球部分体と部分球状との間の摩擦によって適位置に保持するための装置を含むことを特徴とする請求項１６または請求項１７のいずれか一方に記載の換気手段。
【請求項１９】
位置保持装置は、弾力的に離れるように移動する傾向を有する摺動部材（２３０）の球部分体の両端部によって適用されるダクト（２１０）の内面に接する摩擦力を生じることを特徴とする請求項１８に記載の換気手段。
【請求項２０】
保持装置は、ダクト（２４４）の内面または摺動部材（２４２）の外面に形成され、摺動部材（２４２）の外面またはダクトの内面とそれぞれ協働する弾力的に変形可能な端部を有する、粗面（２４６）の区域を含むことを特徴とする請求項１８に記載の換気手段。
【請求項２１】
操作部材（２２４）は、換気手段の軸に横方向に細長い形状を有しており、出口気流の方向づけのために移動させ、かつ摺動部材（２３０）を開閉させる長手方向の移動だけでなく、ダクトの実質的に長手方向軸に対する、摺動部材（２３０）とプロファイル部材（２２０）とより構成される組立体の回転を使用者に可能にすることを特徴とする請求項１６〜２０のいずれか１項に記載の換気手段。
【請求項２２】
カム装置（２２６）は各々、操作部材による並進で移動されるカム溝（２２８）を含み、かつ摺動部材のアームと一体の突起部（２３４）を含むことを特徴とする請求項１６〜２１のいずれか１項に記載の換気手段。
【請求項２３】
摺動部材（２３０）は、換気手段の対称中心軸を含む平面に各々含まれたフィンを保持しており、各フィンの内端部はプロファイル本体（２２０）のスロットで摺動できることを特徴とする請求項１６〜２２のいずれか１項に記載の換気手段。
【発明の詳細な説明】
【技術分野】
【０００１】
本発明は、使用者によって所望通りに気流を方向づけ、かつ流量を調整できるようにして、例えば調節された空気などの気流を誘導するように意図された換気手段に関する。
【背景技術】
【０００２】
そのような換気手段は特に、使用者によって選ばれた方向と流量を有する気流を送り出す換気手段を空気循環回路が提供する自動車向けに意図されている。
【０００３】
本明細書の優先日の後にようやく公表されたにすぎない特許文献１によれば、漸次的に変化する断面のドーム形空洞を形成する第１の部分と部分球状の形態の第２の部分とを入口と出口との間に有する気流ダクトを備える、気流の方向づけの調整を伴う換気手段が知られている。空洞に収容されたプロファイル本体（profiled body）が、第２の部分の部分球状に相補的な部分球状の形態のリングとロッドによって連結されている。第２の部分とリングは、空洞におけるプロファイル本体の横方向移動を可能にする回り継手を形成している。従って、換気手段の空洞の横断面において、ダクトに対するプロファイル本体の移動は、リング形状と三日月形状との間で誘導された気流の通過断面の変動をもたらす。
【０００４】
この文献に記載された換気手段は「コアンダ効果」として知られる効果を利用しており、それに従って表面間で誘導された気流が低損失ヘッドとなり、それゆえ気流が表面に粘着した時にほとんど雑音を生じない。この結果は、ダクトの空洞とプロファイル本体の外側の漸次的な曲率を備える表面の使用によってこれらの換気手段において得られる。
【０００５】
この形式の換気手段では、ダクトとプロファイル本体との間の回り継手移動がプロファイル本体の方向づけを可能にし、従って、プロファイル本体の周辺で循環する気流は、プロファイル本体の表面やダクトの表面に粘着した気流を維持しつつ、プロファイル本体がダクトにおいて移動される方と反対の側で方向づけられる。
【特許文献１】仏国特許第２８７２２６０号明細書
【発明の開示】
【発明が解決しようとする課題】
【０００６】
しかし、低損失ヘッドと低換気雑音というこれらの長所を得ることは、換気手段の相当の長さがそれらを自動車ダッシュボードに組み込むことを困難に、時として不可能にすることから、問題をもたらす。
【課題を解決するための手段】
【０００７】
本発明はこの課題の解決に関連しており、その内容は、それらが実際上すべての自動車ダッシュボードに組み込むことができるように短い長さを有する換気手段における低損失ヘッドと低減した換気雑音という長所の維持である。
【０００８】
この課題は、空洞における本体の移動を可能にする回り継手移動が空洞それ自体と本体を空洞に保持するリングとの間で得られるので、本発明に従って解決される。それゆえ、第１のものの延長における第２のダクト部分は不要である。
【０００９】
空洞とリングとの間の回り継手の移動は、部分球状の形態の内面を有する空洞との、一体品で旋回する部分球状の形態によるかまたは、関連してまたは別個に旋回する２つの球部分体の形態によるかのどちらかのリングの協働によって得られる。
【００１０】
このように本発明に従った換気手段は、プロファイル本体の旋回または回転移動とダクトにおけるその本体の並進移動との組合せにより、前述の利益の全てを有する。
【００１１】
より厳密に言えば、本発明は、気流の方向づけと流量の調整を伴う換気手段であって、循環方向を決める入口と出口との間に、循環方向で漸増してから漸減する断面を備える少なくとも１つの空洞を有する気流ダクトと、その少なくとも主要部分がダクト空洞に配置されているプロファイル本体と、プロファイル本体は循環方向で漸増してから漸減する断面を有する外面を有しており、それによりプロファイル本体のまわりでダクト空洞を循環する気流は漸次的に広がってから漸次的に狭まる周辺気流を構成するようになり、プロファイル本体がダクトに対して動かされることを可能にしつつプロファイル本体をダクトにおいて支持するようにダクトおよびプロファイル部材と協働するリングとを備える形式の換気手段に関連しており、そして本発明によれば、空洞の内面の少なくとも一部が部分球状を形成しており、リングは空洞の部分球状とほぼ同じ半径の球面部分を形成する外面を有しており、リングは空洞においてプロファイル本体の外面に配置されている。
【００１２】
プロファイル本体の寸法は、循環方向と垂直に交差する線に沿って、同じ線に沿った空洞の寸法の４分の１に少なくとも等しいことが有利である。
【００１３】
好ましくは、空洞とプロファイル本体は回転によって実質的に生成される。
【００１４】
第１の実施態様において、リングはダクトの部分球状の半径とほぼ等しい半径を有する部分球状の形態の外面を有しており、リングはリングの内側に向けて突出しプロファイル本体を支持するように意図された少なくとも１個のアームを有する。
【００１５】
好ましくは、プロファイル本体は、アームがダクトの長手方向で少なくとも１つの方向に摺動するようにリングのアームと協働するように意図された少なくとも１個の溝を有しており、それによりダクトに対するプロファイル本体の移動が、回転での少なくとも１自由度に加えて、並進での自由度を有することになる。
【００１６】
好ましくは、リングは少なくとも３個のアームを有する。
【００１７】
好ましくは、プロファイル本体は出口側に操作装置を保持する。
【００１８】
好ましくは、ダクトとプロファイル本体はそれぞれ、プロファイル本体がダクトと実質的に接触している場所で実質的に密閉された様態で協働することができる一方にリップ、他方に溝を有する。
【００１９】
好ましくは、換気手段はダクトにおいてプロファイル本体を適位置に保持するための装置を含む。
【００２０】
第１の例において、保持装置は、リングに向けて弾力的に戻される少なくとも１個の突起部と協働する粗面の区域を含んでおり、粗面の区域はリングにまたはダクトの内面に形成されており、突起部はダクトの内面またはリングにそれぞれ形成されている。
【００２１】
第２の例において、保持装置は、リングの外側で突出し、リングと一体に形成された弾性舌状部を含んでおり、弾性舌状部は摺動によってダクトの内面と協働する。
【００２２】
第３の例において、保持装置は、ダクトの内面またはリングの外面に形成され、リングの外面またはダクトの内面とそれぞれ協働する弾力的に変形可能な端部を有する、粗面の区域を含む。
【００２３】
リングは換気手段の対称中心軸を含んでいる平面に各々含まれたフィンを保持しており、各フィンの内端部はプロファイル本体のスロットで摺動することができることが望ましい。
【００２４】
第１のものの改良である第２の実施態様において、プロファイル本体は周辺気流に付加される中心気流に意図された中心通路を有する。この場合、操作装置は好ましくは、中心通路においてプロファイル本体の出口に配置されたグリルによって保持されたグリップ部材を含む。
【００２５】
この実施態様において、換気手段は、周辺気流による中心気流の偏向効果を利用し、１平面においてだけでなく、２方向、すなわち全体の容積での方向づけを可能にする。得られる気流は、半球形空間に実質的に含まれる全部の方向で実質的に方向づけられる。この実施態様において、プロファイル本体はダクトにおける回転により単純に方向づけられるか、またはそれは長手方向にも動かされ、従って中心気流と周辺気流の相互作用の精緻な調整を可能にするかのどちらかである。
【００２６】
第３の実施態様において、ダクト空洞の部分球状は少なくとも９０°の中心角を有しており、リングは、各々がカム装置を介してプロファイル本体と協働する少なくとも１個のアームを備えた球部分体より形成される２個の摺動部材を備えており、各球部分体部分はその両端を接続する直径の少なくとも近傍に、少なくともほぼ９０°の中心角を有しており、２個の摺動部材の球部分体は空洞の部分球状の球のそれとほぼ等しい半径を有しており、そしてプロファイル本体は、それと一体であり、部分球状と接触している球部分体の関連した回転によるプロファイル本体の方向づけおよび、カム装置を介した摺動部材の回転による摺動部材によるダクトの出口開口の閉鎖の両方を使用者が調整することを可能にするように意図された操作部材を含んでおり、それによりダクトに対するプロファイル本体の移動が、回転での少なくとも１自由度に加えて、並進での自由度を有することになる。
【００２７】
換気手段は、一方で気流を方向づけ、他方でその流量の独立した調整を可能にする。それは、平行なフィンが平行な軸に関する回転によって方向づけられる、中心軸との気流の角度の調整のための、そして中心軸に関する気流の方向の調整のためにそれらの支持で回転されるフィンを備える既知の換気手段によって付与される向きと流量の同時変動という欠点を回避する。しかし本発明によれば、２つの調整は単一の操作部材を制御することによって得ることができる。
【００２８】
好ましくは、摺動部材は入口開口の付近の縁端部でスカラップされている。
【００２９】
好ましくは、換気手段は球部分体と部分球状との間の摩擦によって適位置に保持するための装置を含む。
【００３０】
第１の例において、位置保持装置はダクトの内面に接する摩擦力を生成し、その力は弾力的に離れるように移動する傾向を有する摺動部材の球部分体の両端部によって適用される。
【００３１】
第２の例において、保持装置は、ダクトの内面または摺動部材の外面に形成され、摺動部材の外面またはダクトの内面とそれぞれ協働する弾力的に変形可能な端部を有する、粗面の区域を含む。
【００３２】
好ましくは、操作部材は、換気手段の軸に横方向に細長い形状を有しており、出口気流の方向づけのための移動と、摺動部材の開閉をもたらす長手方向移動だけでなく、ダクトの実質的に長手方向軸に関する摺動部材とプロファイル本体より構成される組立体の回転もまた使用者に可能にする。
【００３３】
好ましくは、カム装置は各々、操作部材による並進で移動されるカム溝を含み、かつ摺動部材のアームと一体の突起部を含む。
【００３４】
好ましくは、摺動部材は、換気手段の対称中心軸を含む平面に各々含まれたフィンを保持しており、各フィンの内端部はプロファイル本体のスロットで摺動することができる。
【００３５】
このように、本発明によれば、ドーム形の空洞を有するダクトは、あらゆる方向でも方向づけられ得るだけでなく長手方向にも移動され得るプロファイル本体を含んでおり、それにより流量の厳密な調整を可能にする。
【００３６】
本発明の他の特徴および利益は、添付図面に関して提示されるいくつかの実施態様の以下の説明を読めばより明確になるであろう。
【発明を実施するための最良の形態】
【００３７】
図１は、本発明の第１の実施形態に従った換気手段の片側断面図である。
【００３８】
換気手段は、入口開口１２と出口開口１４との間に空洞を形成するダクト１０を含む。ダクト１０の一部の内面１６は部分球状の形態をしている。
【００３９】
ダクト空洞の内側で、プロファイル本体１８が、その丸くなった入口部分２２とその出口端部に形成された操作部材２４との間に長手方向スロット２０を有する。
【００４０】
外面が、ダクト１０の内面１６の部分球状と同じ半径の部分球状であるリング２６が、内面１６に接して摺動することができる。リング２６は、プロファイル本体のスロット２０の内側に向けて突出し、プロファイル本体１８の溝３０で終端する、少なくとも１個、好ましくは３個のアーム２８を含む。溝は、長手方向に細長い形と図示されているが、例えば螺旋といった異なる向きでもよい。その場合、スロット２０を持たない、プロファイル本体１８と一体のアーム２８を単純に備える基本装置に対する改良となっている。
【００４１】
基本的実施形態において、プロファイル本体１８は、ダクト１０とリング２６の部分球状によって形成された回り継手の中心に対して単純に回転することができる。
【００４２】
図１に図示された改良において、プロファイル本体１８はさらに、溝３０内でアーム２８の端部を摺動させることによって長手方向に移動することができる。そのようにして、それ自体とダクトの壁面との間の気流の通過の形状を、それゆえ流量を調整することができる。このように、気流の主要部分が周辺のほぼ単一場所に集中するように、プロファイル本体１８の一部をダクト１０の壁面に極めて近くにすることが実際上可能である。本体１８はその際、流量の調整というその機能に加えて、著しい偏向効果を有する。
【００４３】
装置は好ましくは３個のアーム２８を有すると述べたが、任意の数のアームが存在してよい。さらに、アームの端部は、３０といった溝までスロット２０内に単純に入っているだけでもいいし、またはプロファイル本体１８をリング２８と確実に連結させる側方突起部を有してもよく、その場合、溝は図２に示した形状を有する。さらにリングは、図４および７に関して以下で述べる通り、フィンを備えることもできる。
【００４４】
図６は、ダクト１０とプロファイル本体１８の相対的配置を示しており、この時、操作部材２４によって動かされた本体は、それがダクト１０に対してリング２６により回転した位置を占めている。出口１４には本体１８とダクト１０との間の縮小した通路だけが存在し、それにより換気手段の流れの主要部分は下側部分で通過し、上向きに、すなわち操作部材２４が動かされた方の側に偏向される点に留意されたい。
【００４５】
図１、２のこの実施形態において、所望の向きによる適位置でのプロファイル本体の保持は、単にダクト１０に対するリング２６の摩擦によってもたらされる。より効率的な位置保持装置を組み込むことを必要とすることもある。図３、４はそのような装置を図示している。
【００４６】
図３、４において、プロファイル本体１８は位置保持力を生じさせるための機構によってダクトにリングによって保持されており、機構は、リング３８の表面と弾力的に協働できる少なくとも１つの突起部３６を有する例えば薄い板などの弾性部材３４を収容するためにダクトに形成されたくぼみ３２を備える。リングはアーム４０によってプロファイル本体１８と連結されている。リング３８の外面は粗面４２の区域を有しており、プロファイル部材が所望の位置に移動させられた時に、少なくとも１個の突起部３６が２つの隣接する粗面４２の区域の間に保持される。
【００４７】
位置保持機構は明らかに異なっていてもよい。例えば、リングはその周辺で不連続であってもよく、その不連続はリングをダクトの球面に押しつけるための力の生成を可能にするいずれかの形式の弾性復帰装置を備える。
【００４８】
従って、図８、９の変種において、リング５８は、そのリング５８の外側に突出する弾性舌状部５２を保持する。それらは、そのアーム５０とリングを成形するときリング５８と一体に形成される。舌状部５２の外面はダクト５４の内面と接して摺動するように意図されている。従って、舌状部５２の寸法の決定によってリングとダクトとの間の接触力を所望の値に調整することが可能である。
【００４９】
図１０、１１の変種において、保持装置は、例えばＶ字形断面を有し、ダクト６０の内面に形成され、リング５６の外面に接して適用される弾力的に変形可能な端部を有する、粗面６２の区域を含む。粗面６２の区域はダクトの母線に沿って線の形態で図示されているが、それらがプロファイル本体をダクトの中心に位置づけるために適切な力を発生する限り、それらは任意の所望の形状のものであってもよい。粗面の区域の位置は逆にされてもよく、すなわちそれらはリングの外面に配置されることができ、そしてダクトの内面は滑らかである。
【００５０】
図４、７は、プロファイル本体がダクトに対して傾けられている、例えば図６のそれに類似の位置にある時に、流れの方向づけを強化する変種を示している。
【００５１】
図７は、図３、４のリング３８の一部の端面図であり、リングの内面がフィン４６と一体であることに留意されたい。このフィンは、換気手段の対称中心軸を含む平面に含まれている。フィン４６の内端部はプロファイル本体のスロット４８内で摺動することができる。好ましくは、リングは複数の、例えば６個のフィンを保持する。フィンはプロファイル本体の長手方向で流れの方向づけを強化する機能を有し、それにより、例えば図６の場合に、ダクト１０とプロファイル本体との間で形成される最も広い断面を通って出る流れが出口１４で好適に誘導される。
【００５２】
図１が示唆する通り、プロファイル本体１８は、アーム２８のＴ字形端部３１による溝３０内の摺動によってダクト１０の内側の方へ押されることができる。その際それは、その入口表面２２が、入口開口１２でダクト１０の内面と接触する位置にくる。この位置において、気流は実質的に途絶される。しかし、この閉鎖が期待された密閉とならない場合、協働するリップや溝の使用によってそれを強化することが可能である。図５の変種では、プロファイル本体１８の外面に形成されたリップ４４が、本体１８が閉鎖位置に押し込まれた時にダクト１０の内面の溝４７に入り込む。
【００５３】
このように、本発明は、気流の流量の調整を可能にしながら、特に換気手段の密閉された閉鎖、それゆえに静かさを保証しつつ、気流の方向づけを可能にする換気手段に関連する。
【００５４】
ここで本発明の第２の実施形態を検討するが、図１２はこの第２の実施形態に従った換気手段の片側横断面図である。
【００５５】
換気手段は、入口開口１１２と出口開口１１４との間に空洞を形成するダクト１１０を含む。ダクト１１０の一部の内面１６は、部分球状の形態をしており、当該実施形態では約９０°の中心角に対応する。
【００５６】
ダクトの内部で、プロファイル本体１１８は中心通路１２０を形成しており、その出口開口は操作部材１２４がその中心に備えられたグリル１２２を保持する。
【００５７】
ダクト１１０の内面１１６の部分球状と同じ半径の部分球状を外面が成しているリング１２６は、この内面１１６に接して摺動することができる。リング１２６は、内部に向けて突出しプロファイル本体１１８の溝１３０で終端する、少なくとも１個、好ましくは３個のアーム１２８を含む。長手方向に細長い形と図示されているが、また例えば螺旋といった異なる向きを有していてもよい溝は、プロファイル本体１１８と一体のアーム１２８を単純に備える装置の改良となっている。
【００５８】
この実施形態において、プロファイル本体１１８は、ダクト１１０とリング１２６の部分球状によって形成される回り継手の中心に対して単純に回転することができ、図１６に示されたそれのような位置に就く。
【００５９】
図１２に図示された改良において、プロファイル本体１１８はさらに、長手方向に移動することができ、従ってそれ自体とダクトの壁面との間の気流の通過の形状を調整することができる。このように、プロファイル本体１１８の一部がダクト１１０の壁面に極めて近くなることが実際上可能であり、その結果、周辺気流の主要部分は周辺のほぼ単一場所に集中する。その際それは、中心通路１２０において循環する気流に著しい偏向効果を及ぼす。
【００６０】
装置は好ましくは３個のアーム１２８を有すると述べたが、任意の数のアームが存在してよい。さらに、アームの端部は、１３０といった溝まで単純に入っているだけでもよく、またはプロファイル本体１１８をリング１２８と確実に連結させる側方突起部を有していてもよい。
【００６１】
図１６の変種において、リング１２６は、換気手段の対称中心軸を含んでいる平面に各々含まれているフィン１４４を保持する。各フィン１４４の内端部がプロファイル本体１１８のスロット１４６で摺動することができる。フィンはアーム１４０間に配置されている。換気手段は、例えば２個のアームと４個のフィンを、または３個のアームと３個または６個のフィンを備えることができ、他の数も明らかに可能である。
【００６２】
フィンの機能は、それがプロファイル本体１１８の母線に追従するように空気の流れを規制することである。このようにして、ダクト１１０とプロファイル本体１１８との間に形成された気流は最適に誘導されて、プロファイル本体が操作部材１２４によって傾けられている方向で出口における気流の最適な方向づけを与える。
【００６３】
図１２の実施形態において、所望の向きによる適位置でのプロファイル本体の保持は、単にダクト１１０に対するリング１２６の摩擦によって保証される。より効率的な位置保持装置を組み込むことが必要かもしれない。図１４、１５はそのような装置を図示している。図１４、１５の装置は第１の実施形態の換気手段について記載されたそれに類似であり、類似の要素は百の桁に「１」を前に付けた同じ数の参照符号を有する。
【００６４】
この位置保持機構は明らかに異なっていてもよい。例えば、リングはその周辺で不連続であってもよく、その不連続はリングをダクトの球面に押しつけるための力の生成を可能にするいずれかの形式の弾性復帰装置を備える。
【００６５】
本発明の第３の実施形態をここで検討する。
【００６６】
図１７において、参照符号２１０は入口端部２１２と出口端部２１４との間に空洞を形成しているダクトを示す。入口と出口との間で、空洞は内面２１６を有しており、その一部は部分球状の形態をしている。内面２１６の部分球状の（中心２１８で測定される）中心角は少なくとも９０°である。
【００６７】
プロファイル本体２２０がダクト２１０の内部に取り付けられている。それは、出口開口側でそこから突出するアーム２２２を有する。アーム２２２は、出口側に操作部材２２４を有しており、また案内溝２２８を有するカム２２６をプロファイル本体２２０の内部に有する。
【００６８】
ほぼ９０°の角度を有する球部分体の形状を各々が有する２個の摺動部材２３０が、ダクト２１０の内部にこれと接触して取り付けられている。各摺動部材２３０は少なくとも１個のアーム２３２を有しており、これはその内端部に、カム溝２２８で移動するように意図されたカム突起部２３４を保持している。
【００６９】
図１７の上側部分に図示された位置において、ダクト２１０の出口開口は、アーム２２２の片側で、ダクト２１０の長手方向軸で実質的に相互接触することになる摺動部材２３０によって閉鎖される。この位置から始まり、使用者が操作部材２２４を引張ると、カム２２６は、その溝２２８を介して、摺動部材２３０をダクトの内側に向けて、図１７の下側部分に示された開放位置に向けて回転させる。この開放位置において、入口と出口開口２１２、２１４はほとんど開放される。
【００７０】
シャッタを形成する摺動部材２３０によって使用者が出口開口を開放し、閉鎖できる能力を有することが示された。しかし、すべての位置、特に中間位置において、使用者はまた、ダクト２１０の出口開口２１４と平行に操作部材２２４を移動させ、従って放出される気流の方向づけを修正できる能力も有する。
【００７１】
この配置は図１９に図示されており、ここにおいてプロファイル本体２２０はダクト２１０に対して約２５°だけ回転している。図１９の上側部分において、摺動部材２３０の部分２３１がダクト２１０の出口２１４で突出し、それにより上向きの方向での気流の偏向に関与する点に留意されたい。
【００７２】
さらに、図示した例において、操作部材２２４が横方向に細長い部材である場合、使用者はダクトの長手方向軸に対してそれを回転させ、従って部材２３０をダクトの長手方向軸に対して球面ダクトの内部で関連して摺動させることができる。
【００７３】
摺動部材は少なくとも９０°の球部分体の形態で図示されているが、扇形が回転中心を通る円を変わらず含む限り、この特性は扇形の部分だけにわたって必要である。例えば、摺動部材２３０の縁端部は、プロファイル本体がダクト２１０の部分球状の内部で２個の摺動部材２３０によって変わらず保持される限り、入口開口２１２と同じ側でスカラップすることができる。
【００７４】
特に、摩擦力が球部分体の両端部の隣接部分によって摺動部材とダクト２１０の内面との間で実質的に適用されることは、それらの摺動部材の弾性をそれらの製造時点で調整することが容易であるので、有利である。
【００７５】
しかし、図２０、２１に示されたように、変種において、保持装置は、ダクト２４４の内面に形成され摺動部材２４２の外面と協働する弾力的に変形可能な端部を有する粗面２４６の区域を含む。この構成は当然ながら逆にすることができ、粗面の区域は摺動部材に形成されてダクトの内面に接して適用される。
【００７６】
粗面２４６の区域はダクトの母線に沿って線の形態で図示されているが、それらがプロファイル本体をダクトにおいて中心に位置づけるために十分な力を発生する限り、それらはあらゆる所望の形状のものであるとしてよい。
【００７７】
図１８において、摺動部材２３０と一体であり、そして換気手段の対称中心軸２４０を含む平面に含まれるフィン２３６を示すために点線が使用されている。フィン２３６の内端部はプロファイル本体２２０のスロット２３８で摺動することができる。フィンは有利には、換気手段の中心で少なくとも６０°の角度に対応する長さを有する。摺動部材２３０は各々３個のフィン２３６を保持する。フィンは、プロファイル本体２２０が操作部材２２４によって動かされた時に、換気手段によって形成される気流の指向性を増大させることが実験により示された。
【００７８】
本発明に従った換気手段の全部の要素は、特にプラスチック材料の射出成形によって、単純に形成することができ、そして使用される機構は頑丈で安価である。
【００７９】
本発明に従った換気手段は、使用者によるそれらの操作が極めて単純かつ直観的であるので極めて効率的であり、使用者は単に押すことによって換気手段を閉鎖し、自分が気流を向けたい側への操作部材の移動によって方向を調整する。
【００８０】
全部の実施形態において、気流は、輪郭造形されている本体の漸次的に湾曲した表面と、換気手段の出口を通じて開いている空洞のそれとの間で誘導される。気流は、「コアンダ効果」として知られる効果によってそれらの表面に粘着し、その結果、それは低損失ヘッドとなるにすぎずほとんど雑音を生じない。さらに、向きの調整と流量調整は単一の操作部材により独立的にもたらされる。
【図面の簡単な説明】
【００８１】
【図１】本発明の第１の実施形態に従った換気手段の片側断面図である。
【図２】図１の換気手段のプロファイル本体の片側横断面図である。
【図３】プロファイル本体を適位置に保持するための装置の変種を描写している図１に類似の片側断面図である。
【図４】図３の実施形態のリングの一部の拡大図である。
【図５】シーリングリップを備えた図１の換気手段の変種の片側断面図である。
【図６】図１に類似であるが、ダクトに対する回転後のプロファイル本体およびリングを示している。
【図７】変種による図４のリング部分の端面図である。
【図８】プロファイル本体を適位置に保持するための装置の第２の変種におけるリングおよびダクトを通る部分断面図である。
【図９】プロファイル本体を適位置に保持するための装置の第２の変種におけるリングの立面図である。
【図１０】プロファイル本体を適位置に保持するための装置の第３の変種におけるリングおよびダクトを通る部分断面図である。
【図１１】プロファイル本体を適位置に保持するための装置の第３の変種におけるリングおよびダクトを通る部分断面図である。
【図１２】本発明の第２の実施形態に従った換気手段を通る断面図である。
【図１３】図１２の換気手段の片側正面断面図である。
【図１４】プロファイル本体を適位置に保持するための装置の変種を示す図１２に類似の断面図である。
【図１５】図１４の実施形態のリングの一部の拡大図である。
【図１６】図１２に類似であるが、フィンを備える変種をプロファイル本体が傾斜した状態で描写している。
【図１７】その下側部分が開放位置における本発明の第３の実施形態に従った換気手段の片側断面図を示し、上側部分は閉鎖位置におけるそれを示している、略断面図である。
【図１８】図１７の換気手段の種々の要素の相対的な配置を示している横方向平面を通る断面図である。
【図１９】プロファイル本体がダクトに対して回転した時の図１７の換気手段の略断面図である。
【図２０】本発明の変種におけるダクトおよび摺動部材を通る横断面図および縦断面図である。
【図２１】本発明の変種におけるダクトおよび摺動部材を通る横断面図および縦断面図である。
【図１】
2008542674.tif 000003
【図２】
2008542674.tif 000004
【図３】
2008542674.tif 000005
【図４】
2008542674.tif 000006
【図５】
2008542674.tif 000007
【図６】
2008542674.tif 000008
【図７】
2008542674.tif 000009
【図８】
2008542674.tif 000010
【図９】
2008542674.tif 000011
【図１０】
2008542674.tif 000012
【図１１】
2008542674.tif 000013
【図１２】
2008542674.tif 000014
【図１３】
2008542674.tif 000015
【図１４】
2008542674.tif 000016
【図１５】
2008542674.tif 000017
【図１６】
2008542674.tif 000018
【図１７】
2008542674.tif 000019
【図１８】
2008542674.tif 000020
【図１９】
2008542674.tif 000021
【図２０】
2008542674.tif 000022
【図２１】
2008542674.tif 000023
【国際調査報告】
2008542674.tif 000024
2008542674.tif 000025
2008542674.tif 000026
2008542674.tif 000027
2008542674.tif 000028
2008542674.tif 000029